(57)【要約】【課題】従来の欄干よりも、給電ケーブルの配線作業を効率よく行える構成とした、乗客コンベアの欄干を提供する。【解決手段】欄干パネル２１に固定された取付部材２８を介して欄干パネル２１に取り付けられた照明器具３４を備え、照明器具３４は、庇部５２１を有し取付部材２８に取り付けられたランプシェード５２と、庇部５２１の下側に設けられ、ランプシェード５２下方を照明するランプユニット３８と、ランプユニット３８に給電するための給電ケーブル４８とを含み、給電ケーブル４８は取付部材２８の周面に沿わせて保持されており、ランプシェード５２が取付部材２８に取り付けられていない状態で、無端搬送体の踏面に立った作業者が、欄干パネル２１に固定された取付部材２８の直上または欄干パネル２１越しに覗いた上方から視認できる保持位置に給電ケーブル４８が保持されてなる構成とした。【選択図】図２
2019123584.tif 000002
【特許請求の範囲】
【請求項１】
循環走行して踏面に乗った乗客を搬送する無端搬送体の走行路を含む乗客の通路に沿って立設された欄干パネルと、
長手方向に溝部を有する長尺のブロック体からなり、前記溝部が前記欄干パネルの上端縁部に嵌入されて当該欄干パネルに固定された取付部材と、
前記取付部材を介して前記欄干パネルに取り付けられた照明器具と、
を備え、
前記照明器具は、
前記取付部材に一部が重ねられて取り付けられ、重ねられた部分から前記無端搬送体の存する側とは反対側に張り出した庇部を有するランプシェードと、
前記庇部の下側に設けられ、前記ランプシェード下方を照明するランプユニットと、
前記上端縁部に沿って配線され、前記ランプユニットに給電するための給電ケーブルと、
を含み、
前記給電ケーブルは前記取付部材の周面に沿わせて保持されており、
前記ランプシェードが前記取付部材に取り付けられていない状態で、走行停止中の前記無端搬送体の前記踏面に立った作業者が、前記欄干パネルに固定された前記取付部材の直上または当該欄干パネル越しに覗いた上方から視認できる保持位置に前記給電ケーブルが保持されてなる構成を有することを特徴とする乗客コンベアの欄干。
【請求項２】
前記取付部材は前記長手方向に形成された溝状の凹部を有しており、当該凹部に前記給電ケーブルが装入されて保持されていることを特徴とする請求項１に記載の乗客コンベアの欄干。
【請求項３】
前記凹部は、第１側壁と第２側壁とでV字状をなし、下方に開口したV溝状をしていて、
前記給電ケーブルを、前記第１側壁に押圧して、当該給電ケーブルを当該第１側壁との間で挟持して保持する保持部材を有することを特徴とする請求項２に記載の乗客コンベアの欄干。
【請求項４】
前記給電ケーブルは、丸形のケーブルであって、
前記第１側壁の前記凹部における開口側端縁に、当該第１側壁の壁面からの高さが前記給電ケーブルの径よりも小さな突起が形成されていることを特徴とする請求項３に記載の乗客コンベアの欄干。
【請求項５】
前記保持部材は方形の板体からなり、当該板体の長さ方向における第１端部が、前記第２側壁近傍の、前記取付部材の周面に取り付けられており、前記第１端部から第２端に至る間の押圧領域で、前記給電ケーブルを前記第１側壁に押圧することを特徴とする請求項３または４に記載の乗客コンベアの欄干。
【請求項６】
前記押圧領域から前記第２端に至る前記板体部分が、前記給電ケーブル側に屈曲されていることを特徴とする請求項５に記載の乗客コンベアの欄干。
【請求項７】
前記凹部の前記第１側壁の壁面は前記欄干パネルの主面に平行であり、当該凹部は前記主面とは反対側に開口していることを特徴とする請求項３〜６のいずれか１項に記載の乗客コンベアの欄干。
【発明の詳細な説明】
【技術分野】
【０００１】
本発明は、乗客コンベアの欄干に関し、特に、照明器具を備えた欄干に関する。
【背景技術】
【０００２】
乗客コンベア、例えば、エスカレータでは、環状に連結されて循環走行する踏段の両側に、踏段の走行方向に沿って列設されてなる複数の欄干パネルを構成部材とする欄干が設置されている。この欄干パネルには、近年においてデザイン性が重視される中、ガラス製のものが多く用いられている。さらには、エスカレータのインテリア性を高めるため、欄干パネルに照明器具が取り付けられた欄干も多く見受けられる。
【０００３】
前記照明器具は、ランプユニット、ランプシェード、および前記ランプユニットに給電するための給電ケーブルを含み、例えば、以下のような態様で欄干パネルに取り付けられている。欄干パネルの上端縁部に長尺のブロック体からなる取付部材が固定されている。取付部材は、横断面がコ字状をした溝部を有し、当該溝部が前記上端縁部に嵌入されて欄干パネルに固定されている。取付部材の前記踏段が存する側とは反対側の側面にはブラケットが取り付けられており、当該ブラケットに前記ランプユニットが保持されている。
【０００４】
取付部材の上面には、金属板体からなるランプシェードが当該上面にその一部が重ねられて取り付けられている。ランプシェードは、前記上面に重ねられた部分から前記ランプユニット上方を覆うように延出された庇部を有する。
【０００５】
そして、給電ケーブルは、ランプシェードの前記庇部の下面側に取り付けられた保持部材によって保持されて配線されている。
【先行技術文献】
【特許文献】
【０００６】
【特許文献１】特開２０００−２３３８８５号公報
【発明の概要】
【発明が解決しようとする課題】
【０００７】
ところで、上記した構成を有するエスカレータの欄干を設置する際における、上記給電ケーブルの配線作業は、走行停止状態の踏段の踏面に立った作業者によってなされる。この場合、前記保持部材が庇部の下面側に取り付けられている関係上、当該保持部材に給電ケーブルを保持させるため、作業者は、欄干パネルから身を乗り出してランプシェードの庇部の下面側を覗き込むといった不安定な姿勢で作業をするか、または、手探り状態で作業をするかのいずれかを強いられるため、その作業効率が非常に悪いものとなっている。
【０００８】
なお、上記した課題は、エスカレータに限らず、他の乗客コンベアである動く歩道にも共通する場合がある。すなわち、水平方向に乗客を搬送する動く歩道が、建物の壁面に近接して設置される場合である。壁面側の欄干を設置する際には、当該壁面が障害となるため、欄干パネルから身を乗り出してランプシェードの庇部の下面側を覗き込むことができず、手探り状態で作業をするしかないためである。
【０００９】
本発明は、上記した課題に鑑み、上記した従来の欄干よりも、給電ケーブルの配線作業を効率よく行える構成とした、乗客コンベアの欄干を提供することを目的とする。
【課題を解決するための手段】
【００１０】
上記の目的を達成するため、本発明に係る、乗客コンベアの欄干は、循環走行して踏面に乗った乗客を搬送する無端搬送体の走行路を含む乗客の通路に沿って立設された欄干パネルと、長手方向に溝部を有する長尺のブロック体からなり、前記溝部が前記欄干パネルの上端縁部に嵌入されて当該欄干パネルに固定された取付部材と、前記取付部材を介して前記欄干パネルに取り付けられた照明器具と、を備え、前記照明器具は、前記取付部材に一部が重ねられて取り付けられ、重ねられた部分から前記無端搬送体の存する側とは反対側に張り出した庇部を有するランプシェードと、前記庇部の下側に設けられ、前記ランプシェード下方を照明するランプユニットと、前記上端縁部に沿って配線され、前記ランプユニットに給電するための給電ケーブルと、を含み、前記給電ケーブルは前記取付部材の周面に沿わせて保持されており、前記ランプシェードが前記取付部材に取り付けられていない状態で、走行停止中の前記無端搬送体の前記踏面に立った作業者が、前記欄干パネルに固定された前記取付部材の直上または当該欄干パネル越しに覗いた上方から視認できる保持位置に前記給電ケーブルが保持されてなる構成を有することを特徴とする。
【００１１】
また、前記取付部材は前記長手方向に形成された溝状の凹部を有しており、当該凹部に前記給電ケーブルが装入されて保持されていることを特徴とする。
【００１２】
さらに、前記凹部は、第１側壁と第２側壁とでV字状をなし、下方に開口したV溝状をしていて、前記給電ケーブルを、前記第１側壁に押圧して、当該給電ケーブルを当該第１側壁との間で挟持して保持する保持部材を有することを特徴とする。
【００１３】
さらに、また、前記給電ケーブルは、丸形のケーブルであって、前記第１側壁の前記凹部における開口側端縁に、当該第１側壁の壁面からの高さが前記給電ケーブルの径よりも小さな突起が形成されていることを特徴とする。
【００１４】
また、前記保持部材は方形の板体からなり、当該板体の長さ方向における第１端部が、前記第２側壁近傍の、前記取付部材の周面に取り付けられており、前記第１端部から第２端に至る間の押圧領域で、前記給電ケーブルを前記第１側壁に押圧することを特徴とする。
【００１５】
この場合に、前記押圧領域から前記第２端に至る前記板体部分が、前記給電ケーブル側に屈曲されていることを特徴とする。
【００１６】
また、前記凹部の前記第１側壁の壁面は前記欄干パネルの主面に平行であり、当該凹部は前記主面とは反対側に開口していることを特徴とする。
【発明の効果】
【００１７】
上記の構成からなる乗客コンベアの欄干によれば、前記給電ケーブルが前記取付部材の周面に沿わせて保持されているため、前記ランプシェードが前記取付部材に取り付けられていない状態で前記給電ケーブルの配線作業が可能となる。
【００１８】
しかも、前記ランプシェードが前記取付部材に取り付けられていない状態で、走行停止中の前記無端搬送体の前記踏面に立った作業者が、前記欄干パネルに固定された前記取付部材の直上または当該欄干パネル越しに覗いた上方から視認できる保持位置に前記給電ケーブルが保持されてなる構成を有するので、ランプシェードの庇部の下面側に取り付けられた保持部材によって給電ケーブルが保持されてなる構成のため、作業者が、欄干パネルから身を乗り出してランプシェードの庇部の下面側を覗き込むといった不安定な姿勢で作業をするか、または、手探り状態で作業をするかのいずれかを強いられる従来の欄干構成と比較して、給電ケーブルの配線作業を効率よく行うことができる。
【図面の簡単な説明】
【００１９】
【図１】（ａ）はエスカレータの概略構成を示す平面図であり、（ｂ）は同側面図である。
【図２】（ａ）は、上記エスカレータの実施形態１に係る欄干を図１（ｂ）におけるＡ−Ａ線で切断した上端部部分を示す図であり、（ｂ）は欄干の構成部材である取付部材の斜視図である。
【図３】欄干の上端部およびその付近を、一部構成部材を省略して側方から見た図である。
【図４】上記欄干パネルに設けられているランプユニット列の構成を示す図である。
【図５】（ａ）は、上記ランプユニット列に給電するための給電ケーブルの配線作業を説明するための図であり、（ｂ）は、実施形態１の変形例１に係る欄干の一部断面図である。
【図６】（ａ）は実施形態１の変形例２に係る欄干の一部断面図であり、（ｂ）は同変形例３に係る欄干の一部断面図である。
【図７】（ａ）は実施形態２に係る欄干の一部断面図であり、（ｂ）は実施形態２の変形例に係る欄干の一部断面図である。
【図８】実施形態３に係る欄干の一部断面図である。
【図９】（ａ）は実施形態４に係る欄干の一部断面図であり、（ｂ）は実施形態４の変形例に係る欄干の一部断面図である。
【発明を実施するための形態】
【００２０】
以下、本発明に係る乗客コンベアの欄干の実施形態について、エスカレータの欄干を例にとり、図面を参照しながら説明する。なお、以下の図において、煩雑さを避けるため、断面であっても、ハッチングを省略している箇所がある。
【００２１】
＜エスカレータの全体構成＞
図１に示すように、エスカレータ１０は、環状に連結されて循環走行し、踏面１２Ａに乗った乗客を搬送する無端搬送体である複数の踏段１２を有する。踏段１２の走行路および上下の昇降口を含む乗客の通路ＰＷの両側には、欄干１４，１６が設置されている。
【００２２】
欄干１４，１６の各々は、通路ＰＷに沿って立設された複数の欄干パネル１１,１３,１５,１７,１９，２１，２３，２５を有する（図１において、欄干パネルは、片側の欄干１４を構成する欄干パネルのみに符号を付している。）。欄干パネル１１，…，２５の各々は、例えば、ガラス製であり、透光性を有している。ここで、複数の欄干パネル１１，…，２５の内、列設方向において両端部に設けられた端部欄干パネルを特に区別する必要がある場合、当該端部欄干パネルを「ニューエルパネル１１，２５」と称し、ニューエルパネル１１，２５以外の欄干パネルを「中間パネル１３，…，２３」と称することとする。ニューエルパネル１１，２５の各々は、図１（ｂ）から分かるように、水平方向に張り出した半円状端部を有する。
【００２３】
欄干パネル１１，…，２５の外周には、ガイドレール５６（図２（ａ）を参照）に案内され、踏段１２と同じ向きに同じ速度で循環走行する無端ベルト状をした移動手摺１８，２０がそれぞれ設けられている。ガイドレール５６に案内される移動手摺１８，２０は、欄干パネル１１，…，２５の上部縁辺部に沿って走行する区間（乗客が掴む区間）では、水平方向に走行した後、カーブして直線的に斜行し、またカーブして再び水平方向に走行する。水平方向に走行した移動手摺１８，２０は、一方のニューエルパネルの半円状端部に沿って走行方向を反転した後、他方のニューエルパネルへと走行する。ここで、図１（ｂ）に示す通り、移動手摺１８，２０が上記水平方向に走行する区間を「水平区間Ｈ１、Ｈ２」、斜行する区間を「斜行区間Ｓ」、上記反転する区間を「反転区間Ｒ１、Ｒ２」と称することとする。
【００２４】
踏段１２および移動手摺１８，２０は、機械室２２に設置されたモータ２４を動力源とし、不図示の動力伝達機構を介して駆動される。機械室２２には、また、モータ２４へ給電すると共に、モータ２４を制御する制御盤２６が設けられている。制御盤２６は、後述するランプユニット列５０へも給電ケーブル４８（図３、図４）を介して給電する。
【００２５】
エスカレータ１０は、例えば、建築物内の階下のフロアＤＳと階上のフロアＵＳとの間に架け渡されて設置されている。エスカレータ１０は、踏段１２の走行の向きが切り替えられて、昇り用あるいは下り用として用いられ、踏段１２の踏面１２Ａに乗った乗客が、階下のフロアＤＳから階上のフロアＵＳ、あるいは階上のフロアＵＳから階下のフロアＤＳへと搬送される。
【００２６】
次に、欄干１４，１６について説明する。欄干１４と欄干１６とは、通路ＰＷを挟んで対称的に設置されており、基本的には、同じ構成を有している。よって、欄干１４を代表に説明し、欄干１６についての説明は省略することとする。
【００２７】
＜実施形態１＞
図２（ａ）は、欄干１４を図１（ｂ）におけるＡ−Ａ線で切断した上端部部分を示す図であり、図２（ｂ）は後述する取付部材２８の一部の斜視図である。また、図３は、中間パネル２１（図１）およびその上端部付近を側方から見た図であり、左半分は後述するランプシェード５２およびランプシェード５２よりも上側に取り付けられた構成部材を省略した図である。右半分において、給電ケーブル４８Ｂの図示は省略している。また、図３において、後述するランプユニット３８およびランプカバー５４の図示は省略している。
【００２８】
欄干１４を構成する欄干パネル１１，…，２５（図１）の各々は、その下部縁辺部が、通路ＰＷに沿って設置された、複数台の固定器具（不図示）によってトラス（不図示）に固定されている。
【００２９】
一方、欄干パネル１１，…，２５の上端縁部には、被固定部材である取付部材２８が複数本、列を成して固定され（図３）、取付部材２８を介して照明器具３４が取り付けられている（図２（ａ））。
【００３０】
照明器具３４は、ランプシェード５２、ランプユニット３８、および給電ケーブル４８を含む。
【００３１】
取付部材２８は、アルミニウムの押出形材からなる長尺のブロック体からなり（図２（ｂ））、上述したように、欄干パネル１１，…，２５の縁辺部に沿って、その複数本が間隔を空けて列設されている（図３）。取付部材２８は、移動手摺１８が斜行する区間においては、直線状をしたものが、カーブする区間では、当該カーブに合わせた湾曲部分を有するものが用いられるが、いずれも横断面は略同じ形状をしている。
【００３２】
取付部材２８は、図２に示すように、長手方向に形成された「コ」字状の横断面をした溝部２８１を有する。取付部材２８は、溝部２８１が欄干パネル２１の上端縁部にゴムシート３０を介して嵌入されている。溝部２８１の通路ＰＷ側の側壁２８１Ａとゴムシート３０との間には、細長い圧接板３２が挟み込まれている。取付部材２８には、通路ＰＷ側側面２８Ａから側壁２８１Ａまで貫通するねじ穴（不図示）が形成されており、当該ねじ穴には、通路ＰＷ側から不図示の雄ねじが螺合している。そして、当該雄ねじが締めつけられ、その先端で圧接板３２を欄干パネル２１に向かって押圧することにより、欄干パネル２１が取付部材２８に固定されている。
【００３３】
取付部材２８において、通路ＰＷとは反対側の側面２８Ｂには、長手方向にＴ溝２８３が形成されている。Ｔ溝２８３には、複数のブラケット３６が取り付けられている。ブラケット３６は、Ｔ溝２８３に嵌まる凸部（図には現れていない）を有しており、当該凸部がＴ溝２８３に嵌められ、Ｔ溝２８３の長さ方向にスライド自在に取り付けられている。
【００３４】
ブラケット３６には、ランプユニット３８，（４０）が取り付けられている。図４に示すように、ランプユニット３８，４０は、帯状をした実装基板３８Ａ，４０Ａと実装基板３８Ａ，４０Ａの一方の主面に設けられた複数個のＬＥＤ４２とを有する。複数個のＬＥＤ４２は、実装基板３８Ａ，４０Ａそれぞれの長手方向に列設され、電気的に直列接続されている。実装基板３８Ａの長手方向両端部と実装基板４０Ａの一端部には、他のランプユニットまたは後述する給電ケーブル４８と接続するための雄型端子４４と雌型端子４６の一組が設けられている。
【００３５】
図４に示す隣接するランプユニット３８，４０同士を対応する雄型端子４４と雌型端子４６で接続すると、複数のランプユニット３８およびランプユニット４０を構成する全てのＬＥＤ４２が電気的に直列接続される。ここで、上記のように雄型端子４４と雌型端子４６で接続された複数のランプユニット３８およびランプユニット４０をランプユニット列５０と称することとする。
【００３６】
ランプユニット列５０に、図４の紙面に対し右端のランプユニット３８における右端部側の雄型端子４４と雌型端子４６から直流電力を給電すると複数のランプユニット３８およびランプユニット４０を構成する全てのＬＥＤ４２が点灯する。本実施形態では、片方の欄干１４に対し、２つのランプユニット列５０が設けられている。
【００３７】
図１に戻り、二つのランプユニット列５０は、移動手摺１８の上記両水平方向Ｈ１、Ｈ２、斜行区間Ｓに沿って配されている。一方のランプユニット列５０は、水平区間Ｈ１から斜行区間Ｓの上半分領域に対応させ、もう一方のランプユニット列５０は、斜行区間Ｓの下半分領域から水平区間Ｈ２に対応させて、それぞれ配されている（図１おいて、ランプユニット列の図示は省略している。）。
【００３８】
ここで、ランプユニット列５０を配置位置で区別する場合は、水平区間Ｈ１から斜行区間Ｓの上半分領域に設けた方を「上側ランプユニット列５０Ａ」、斜行区間Ｓの下半分領域から水平区間Ｈ２に設けた方を「下側ランプユニット列５０Ｂ」と称することとする。上側ランプユニット列５０Ａ、下側ランプユニット列５０Ｂのいずれも、給電ケーブル４８と接続される雄型端子４４、雌型端子４６が設けられている端部を上側（制御盤２６に近い側）に向けて、それぞれ配されている。
【００３９】
上側ランプユニット列５０Ａと下側ランプユニット列５０Ｂには、それぞれに設けられた給電ケーブル４８を介して、制御盤２６から給電される。ここで、接続されるランプユニット列５０によって給電ケーブル４８を区別する場合、上側ランプユニット列５０Ａと接続される方を給電ケーブル４８Ａとし、下側ランプユニット列５０Ｂと接続される方を給電ケーブル４８Ｂとする。給電ケーブル４８には、例えば、導線がビニル被覆されてなる丸形のケーブルが用いられる。
【００４０】
取付部材２８には、また、図２に示すように、第１の側壁２８２Ａと第２の側壁２８２Ｂとで内角が９０度のＶ字状をなした横断面を有する溝状の凹部２８２が長手方向に形成されている。第１の側壁２８２Ａは欄干パネル２１の主面に平行であり、第２の側壁２８２Ｂは前記主面に垂直であって、凹部２８２は、前記主面とは反対側に開口している。
【００４１】
凹部２８２において、給電ケーブル４８Ｂが保持されているのであるが、このことについては後で詳述することとする。
【００４２】
取付部材２８には、ランプシェード５２が取り付けられている。ランプシェード５２は、角筒体の一側壁の一部が全長に亘って開口されてなる金属製の板体であって、図２（ａ）に示すように、横断面が略「コ」字状をした長尺部材である。ランプシェード５２は、金属板体を板金加工したものであり、当該金属には、例えば、鉄鋼材料（例えば、ステンレス鋼）が用いられる。
【００４３】
ランプシェード５２は、その開口部が、図２（ａ）に示すように、欄干パネル２１の上端部に向けられ、その一部が取付部材２８に重ねられて、取付部材２８に取り付けられている。
【００４４】
ランプシェード５２は、取付部材２８に重ねられた部分から、踏段１２が存する通路ＰＷ側とは反対側に大きく張り出した庇部５２１を有しており、庇部５２１の下側にランプユニット３８（ランプユニット列５０）が組み込まれている。
【００４５】
ランプシェード５２の通路ＰＷ側とは反対側の端部と取付部材２８との間の開口部には、ランプユニット３８を覆うように、合成樹脂からなる半透明のランプカバー５４が設けられている。
【００４６】
一本のランプシェード５２は、一本の取付部材２８よりも長く、複数本の取付部材２８に亘って、一本のランプシェード５２が取り付けられている。これにより、隣接する取付部材２８は、両者に取り付けられたランプシェード５２によって連結されていることになる。
【００４７】
ランプシェード５２は、移動手摺１８が直線的に斜行する区間では、ストレートのものが、移動手摺１８がカーブする区間では、当該カーブに合わせて湾曲されたものが用いられるが、いずれも同様の横断面形状をしている。ランプシェード５２は、複数本が長手方向における端面同士を突き合わせた形で列設されている。このように列設されたランプシェード列における両端部のランプシェード５２は、ニューエルパネル１１，２５（図１）の半円状端部に設置されている。ここで、ニューエルパネル１１，２５の半円弧状端部に設置されたランプシェードを「端部シェード」と称することとする。
【００４８】
なお、列設されたランプシェードにおいて、ランプユニット３８、（４０）は、上述した通り、水平区間Ｈ１〜斜行区間Ｓ〜水平区間Ｈ２に対応させて設置されている。ニューエルパネル１１，２５の半円状端部（反転区間Ｒ１、Ｒ２に対応する領域）には設置されていない。したがって、前記端部シェードには、ランプカバー５４は取り付けられていない。このため、当該端部シェードの開口部は、ランプカバー５４に代えて、端部シェードと同じ材質で作成された板体からなる蓋体（不図示）で閉塞されている。よって、端部シェード内面、蓋体、および取付部材２８の側面で囲まれた領域は、トンネル状の空間（不図示）を成している。このトンネル状の空間は、後述するように、制御盤２６から上側ランプユニット列５０Ａ、下側ランプユニット列５０Ｂの各々に給電する給電ケーブル４８の配線ダクト（不図示）として利用される。
【００４９】
取付部材２８上部には、図２（ａ）に示すように、ランプシェード５２を介してガイドレール５６が固定されている。ガイドレール５６は、例えば、ステンレス鋼板を板金加工して作製されたものである。ガイドレール５６は、取付部材２８上面に対応する底板部５６Ａを有し、底板部５６Ａがスポット溶接（不図示）等によりランプシェード５２に接合されている。ガイドレール５６は、また、底板部５６Ａの両端縁から上方へ立ち上がった縦板部５６Ｂ，５６Ｃと、縦板部５６Ｂ，５６Ｃの上端から外方へ張り出したフランジ部５６Ｄ，５６Ｅを有する。
【００５０】
ガイドレール５６において、両フランジ部５６Ｄ，５６Ｅに移動手摺１８が取り付けられている。
【００５１】
続いて、ランプユニット列５０に給電するための給電ケーブル４８の配線経路について説明する。給電ケーブル４８Ａは、制御盤２６から前記配線ダクトを経由して配線され、図１に示す、反転区間Ｒ１と水平区間Ｈ１の境界付近で、上側ランプユニット列５０Ａに接続される。当該配線ダクト内には、ランプユニット３８、４０が設けられておらず、また、配線ダクト内部は、外部からは視認されないため、給電ケーブル４８Ａは、配線ダクト内では特に保持されることなく（拘束されることなく）配線されている。
【００５２】
給電ケーブル４８Ｂは、前記配線ダクトを経由し、斜行区間Ｓの中程まで配線され、当該中程付近で下側ランプユニット列５０Ｂに接続される。給電ケーブル４８Ｂは、前記配線ダクト内では、給電ケーブル４８Ａと同様の理由で、保持されることなく配線されている。しかし、水平区間Ｈ１および斜行区間Ｓの上半分領域では、上側ランプユニット列５０Ａが設けられているため、給電ケーブル４８Ｂは、上側ランプユニット列５０Ａによる照明の邪魔にならない位置（ランプユニット３８，４０からの光を不用意に遮らない位置）に保持する必要がある。
【００５３】
このため、給電ケーブル４８Ｂは、図２（ａ）に示すように、取付部材２８の凹部２８２に装入されて保持されている。
【００５４】
給電ケーブル４８Ｂが凹部２８２に装入された状態を保持するため、保持部材５８が設けられている。保持部材５８は、例えば、図２（ａ）、図３に示すように、方形の板体からなる。当該板体には、例えば、金属板（例えば、ステンレス鋼板）が用いられる。
【００５５】
保持部材５８の一端部には、ボルト挿通孔（符号を付さず）が開設されている。Ｔ溝２８３には、ブラケット３６の前記凸部（不図示）以外に、ボルト６０の頭部が嵌められていて、ボルト６０がＴ溝２８３の長さ方向にスライド自在に取り付けられている。
【００５６】
Ｔ溝２８３に取り付けられたボルト６０に、図２（ａ）に示すように、保持部材５８の前記ボルト挿通孔が挿通された上で、ボルト６０にナット６２が螺合され、ナット６２を締め付けることで、保持部材５８が取付部材２８に固定されている。
【００５７】
固定された状態で、保持部材５８の第１の側壁２８２Ａからの高さ（距離）は、給電ケーブル４８の径よりも若干短くなっている。よって、保持部材５８が取り付けられている位置で、給電ケーブル４８を凹部２８２に装入する際には、下方から第２の側壁２８２Ｂに向かって押し込むことになる。押し込まれた状態で、保持部材５８が、第１の側壁２８２Ａから遠ざかる向きに、弾性的に僅かに撓むと共に、給電ケーブル４８が僅かに弾性変形する。このため、保持部材５８と給電ケーブル４８の復元力によって、結果的に、保持部材５８が給電ケーブル４８を第１の側壁２８２Ａに押圧する。これにより、保持部材５８は、第１の側壁２８２Ａとの間で給電ケーブル４８を挟持して保持することとなる。
【００５８】
保持部材５８によって、給電ケーブル４８は、取付部材２８の周面に沿わせて（本例では、取付部材２８の周面の一部である第１の側壁２８２Ａの壁面に沿わせて）保持されている。
【００５９】
上記のように、保持部材５８は、第１の側壁２８２Ａとで給電ケーブル４８を挟持するのであるが、給電ケーブル４８の下方への脱落を防止するため、第１の側壁２８２Ａの凹部２８２における開口側端縁に、第１の側壁２８２Ａからの高さが給電ケーブル４８の径よりも小さな突起２８２Ｃが設けられている。突起２８２Ｃを設けることで、突起２８２Ｃが給電ケーブル４８の下方への移動の障害となるため、下方への脱落が防止される。なお、取付部材２８の上記した製法上の理由から、突起２８２Ｃは取付部材２８の全長に亘って形成されているが、給電ケーブル４８の脱落を防止する目的のためには、全長に亘る必要は無く、少なくとも保持部材５８に対応する位置に形成されていれば足りる。
【００６０】
保持部材５８は、図３に示すように、取付部材２８の長手方向に間隔を空けて１本の取付部材２８当たり複数個（本例では２個）固定されている。なお、取付部材２８の長さによっては、取付部材２８の１本当たりに固定する保持部材５８の個数は１個でも構わない。
【００６１】
給電ケーブル４８の配線作業（取付部材２８への取付作業）は、取付部材２８が欄干パネル１１，…，２５へ固定された後、取付部材２８へランプシェード５２を取り付ける前、すなわち、取付部材２８にランプシェード５２が取り付けられていない状態で行われる。
【００６２】
この際、少なくとも斜行区間Ｓに対応する箇所の配線作業は、作業者が踏面１２Ａに立ち、通路ＰＷ側から行わざるを得ない。この場合、図５（ａ）に一点鎖線で示す、給電ケーブル４８の最終的な保持位置は、踏面１２Ａに立った作業者が、欄干パネル２１から少し乗り出すだけで、欄干パネル２１越しに取付部材２８よりも上から（取付部材２８の上方から）覗くことができる（このときの視線Ｅ１を破線の矢印で示す。）。
【００６３】
よって、二点鎖線で示すランプシェードが取付部材に固定された後に配線せざるを得ないため、作業者が、欄干パネルから身を乗り出してランプシェードの庇部の下面側を覗き込むといった不安定な姿勢で作業をするか、または、手探り状態で作業をするかのいずれかを強いられる上述した従来の欄干構成と比較して、本実施形態の欄干構成の方が、給電ケーブル４８の配線作業を効率よく行うことができる。
【００６４】
（変形例１）
図５（ｂ）に実施形態１の変形例１を示す。変形例１は保持部材が異なる以外は、上記した実施形態１と同様の構成である。よって、図５（ｂ）において、図２（ａ）と同様の構成については同じ符号を付して、その説明については省略するか簡単に言及するに止める。以下に記す他の変形例、他の実施形態においても、保持部材および給電ケーブルが装入される凹部のいずれか一方または両方が異なる以外は、基本的に、実施形態１と同様の構成であるので、これらを説明するための図において、図２（ａ）と同様の構成については同じ符号を付して、その説明については適宜に言及するに止めることとする。
【００６５】
変形例１における保持部材６４は、保持部材５８（図２、図３）と同様、方形の板体からなり、保持部材５８と同じ材料で形成されている。
【００６６】
また、保持部材６４は、保持部材５８と同様、一端部がボルト６０とナット６２によって取付部材２８の周面（側面２８Ｂ）に取り付けられている。保持部材６４は、前記一端部から他端に至る間の領域（押圧領域）で給電ケーブル４８Ｂを凹部２８２の第１の側壁２８２Ａに押圧し、第１の側壁２８２Ａとの間で挟持している。また、保持部材６４は、前記押圧領域から前記他端に至る部分が、図５（ｂ）に示すように、給電ケーブル４８Ｂ側に屈曲されている（本例では、「く」字状に屈曲されている。）。
【００６７】
この屈曲部を設けることにより、給電ケーブル４８Ｂの下方への脱落防止が一層図られることとなる。
【００６８】
なお、変形例１において、給電ケーブル４８Ｂを凹部２８２に装入する際は、ナット６２を緩めて、保持部材６４の下端を凹部２８２の第１の側壁２８２Ａから離間させ、給電ケーブル４８Ｂの凹部２８２への進入スペースを確保することとする。そして、給電ケーブル４８Ｂを凹部２８２へ進入させた後、ナット６２を締め付けることとする。
【００６９】
あるいは、ナット６２を緩めることなく、凹部２８２への給電ケーブル４８Ｂの進入を可能にするため、保持部材６４の材質と厚みを適宜設定し、厚み方向の可撓性を十分に持たせるようにしても構わない。これにより、保持部材６４の下端を第１の側壁２８２Ａから遠ざかる向きに指で引っ張って保持部材６４を撓ませることにより、給電ケーブル４８Ｂの凹部２８２への進入が可能になる。進入後に指を離せば、保持部材６４は図５（ｂ）に示す状態に復元する。
【００７０】
（変形例２）
図６（ａ）に示す変形例２では、変形例１よりも保持部材６６を撓ませ易くしている。このために、方形の板体からなる保持部材６６の長手方向における中間部分を、図６（ａ）に示すように、「く」字状に屈曲させており、当該屈曲部６６Ａから下方に向けてストレート部６６Ｂが延出された構成としている。
【００７１】
上記構成によれば、取付部材６８の凹部６８２に給電ケーブル４８Ｂを装入するため保持部材６６を撓ませる際、ストレート部６６Ｂに指の腹をかけて引っ張ることができるため、変形例１のように、保持部材６４の先端（下端）に指を引っかけて引っ張る場合と比較して、保持部材６６を撓ませ易くなっている。これにより、給電ケーブル４８Ｂの配線作業の効率が向上する。
【００７２】
（変形例３）
図６（ｂ）に示す変形例３では、変形例１（図５（ｂ））と比較して、給電ケーブル４８Ｂの配線作業における作業者の欄干パネル２１からの乗り出し量を低減している。このために、取付部材７０の凹部７０２における第１の側壁７０２Ａを、変形例１（図５（ｂ））よりも下方へ延長すると共に、保持部材７２もこれに合わせて、下方へ延長したものとしている。
【００７３】
上記構成によれば、給電ケーブル４８Ｂの保持位置が、変形例１の場合よりも、下方へ下がることとなる。これにより、踏面１２Ａに立った作業者が、欄干パネル２１越しに給電ケーブル４８Ｂの保持位置を目視する際の視線Ｅ２の方向が視線Ｅ１（図５（ａ））よりも、鉛直方向に近づく。このため、前記作業者の欄干パネル２１からの乗り出し量が低減される。
【００７４】
＜実施形態２＞
実施形態１およびその変形例１、２、３では、給電ケーブル４８Ｂを装入する凹部２８２、６８２、７０２は、全て、（斜め）下方に開口していたが、実施形態２では、図７（ａ）に示すように、取付部材７４の凹部７４２は、（斜め）上方に開口させている。
【００７５】
保持部材７６は、実施形態１の保持部材５８（図２（ａ））と同じ構成であるが、凹部７４２に合わせて、取付部材７４への取付の向きを変えている。すなわち、保持部材５８（図２（ａ））は、ボルト６０、ナット６２による取付部材２８への固定端部に対し、給電ケーブル４８Ｂを第１の側壁２８２Ａへ押圧する押圧領域が下側になるように取付られていたが、保持部材７６は、ボルト６０、ナット６２による取付部材７４への固定端部に対し、給電ケーブル２８Ｂを第１の側壁７４２Ａへ押圧する押圧領域が上側になるよう取付られている。
【００７６】
上記構成によれば、給電ケーブル４８Ｂの保持位置が、取付部材７４の直上から視認できるため、変形例３よりも、給電ケーブル４８Ｂの配線作業における作業者の欄干パネル２１からの乗り出し量が一層低減される。これにより、給電ケーブル４８Ｂの配線作業の効率化が図られる。
【００７７】
（変形例）
実施形態２では、給電ケーブル４８Ｂの凹部７４２における保持状態を維持するため、保持部材７６を用いたが、図７（ｂ）に示す変形例では、これを用いることなく、給電ケーブル４８Ｂの保持状態を維持することとしている。
【００７８】
変形例における取付部材７８の凹部７８２は、実施形態２と同様、（斜め）上方に開口しており、第１の側壁７８２Ａと第２の側壁７８２Ｂとが９０度を成すＶ溝状をしている。図７（ｂ）に示すように、第１の側壁７８２Ａは垂直方向であり（欄干パネル２１の主面と平行）、第２の側壁７８２Ｂは水平方向（欄干パネル２１に主面に垂直）である。第２の側壁７８２Ｂの凹部７８２における開口側端縁に、第２の側壁７８２Ｂの壁面から立ち上がった突起７８２Ｃが設けられている。突起７８２Ｃは、取付部材７８の全長に亘って形成されている。突起７８２Ｃの前記壁面からの高さは、第１の側壁７８２Ａの前記壁面からの高さとの差が、少なくとも給電ケーブル４８の径よりも短く設定されている。
【００７９】
上記の構成において、取付部材７８への給電ケーブル４８Ｂの配線作業は、これまでの実施形態や変形例と同様、ランプシェード５２を取付部材７８へ取り付ける前に行う。
【００８０】
この際、作業者は、給電ケーブル４８Ｂを第２の側壁７８２Ｂの壁面に沿わせて配線する。この場合の給電ケーブル４８の保持位置が取付部材７８の直上から視認できるのは、実施形態２と同様である。
【００８１】
配線中は、突起７８２Ｃを設けていることにより、配線済みの給電ケーブル４８Ｂ部分の凹部７８２からの脱落を防止することができる。また、配線が終了し、ランプシェード５２が取付部材７８に取り付けた後は、突起７８２Ｃの前記高さが上述したように設定されているため（すなわち、突起７８２Ｃ上端とランプシェード５２内面との間の上下方向における距離が給電ケーブル４８Ｂの径よりも短く設定されているため）、給電ケーブル４８Ｂが凹部７８２から脱落するのを防止することができる。
【００８２】
＜実施形態３＞
実施形態１、実施形態２、およびその変形例は、給電ケーブル４８Ｂを装入する凹部を、斜め上方または斜め下方に開口した構成としたが、実施形態３では、図８に示すように、取付部材８０に形成した凹部８０２を真上に開口した構成としている。
【００８３】
ランプシェード５２が取付部材８０に取り付けられていない状態で給電ケーブル４８Ｂの配線する場合、作業者は取付部材８０の直上から給電ケーブル４８Ｂが保持されることとなる凹部８０２（保持位置）を視認しながら、給電ケーブル４８Ｂを凹部８０２に落とし込んでいくことができる。
【００８４】
本例では、給電ケーブル４８は、取付部材８０の周面の一部である凹部８０２の底面に沿わせて保持されることとなる。
【００８５】
配線作業が終了して、ランプシェード５２が取付部材８０に取り付けられると、凹部８０２の上部開口部はランプシェード５２で閉塞されるため、給電ケーブル４８Ｂの凹部８０２からの離脱防止が図られる。
【００８６】
＜実施形態４＞
実施形態１−３、およびその変形例では、給電ケーブル４８Ｂを装入する凹部を、上方または下方に開口した構成としたが、実施形態４では、側方に開口する構成としている。
【００８７】
図９（ａ）に示すように、取付部材８２に形成した凹部８２２を真横に開口した構成としている。
【００８８】
凹部８２２の第１の側壁８２２Ａと第２の側壁８２２Ｂとは水平であり、両者間の距離は、給電ケーブル４８Ｂの径よりも若干短く設定されている。このため、作業者が、給電ケーブル４８Ｂを凹部８２２に押し込んで装入すると、給電ケーブル４８Ｂは僅かながら弾性変形し、その復元力で第１の側壁８２２Ａと第２の側壁８２２Ｂを押圧することとなる。その結果、給電ケーブル４８Ｂと両側壁８２２Ａ、８２２Ｂとの間で生じる摩擦力によって、給電ケーブル４８Ｂの凹部８２２からの脱落の防止が図られている。
【００８９】
（変形例）
上述した凹部８４２の第１の側壁８２２Ａと第２の側壁８２２Ｂは、水平であったが、変形例においては、図９（ｂ）に示すように、取付部材８４に形成した凹部８４２の第１の側壁８４２Ａと第２の側壁８４２Ｂとは、底部８４２Ｄ側端縁から凹部８４２の開口側端縁に向かって上り坂となる斜面に形成されている。
【００９０】
これにより、凹部８４２に装入された給電ケーブル４８Ｂには、重力によって、僅かではあるが、底部８４２Ｄに向かう力（重力成分）が作用する。このため、実施形態１の場合と比較して、給電ケーブル４８Ｂが凹部８４２から脱落しにくくなる。
【００９１】
以上、本発明を実施形態に基づいて説明してきたが、本発明は上記した形態に限らないことは勿論であり、例えば、以下のような形態としても構わない。
【００９２】
（１）上記実施形態では、照明器具を構成する光源としてＬＥＤを用いたが、これに限らず、照明器具を構成する光源には蛍光灯または有機ＥＬを用いても構わない。
【００９３】
（２）上記実施形態では、本発明に係る乗客コンベアの欄干を、エスカレータの欄干を例に説明したが、本発明に係る乗客コンベアの欄干は、エスカレータの欄干に限らず、環状に連結された複数のパレットからなる無端搬送体やゴムベルトからなる無端搬送体を循環走行させ、その踏面の乗った乗客を搬送する動く歩道の欄干にも適用可能である。
【産業上の利用可能性】
【００９４】
本発明に係る乗客コンベアの欄干は、例えば、照明器具を備えたエスカレータに好適に利用可能である。
【符号の説明】
【００９５】
１１，１３，１５，１７，１９，２１，２３，２５    欄干パネル
２８，６８，７０，７４，７８，８０，８２，８４    取付部材
３４    照明器具
３８，４０    ランプユニット
４８    給電ケーブル
５２    ランプシェード
【図１】
2019123584.tif 000003
【図２】
2019123584.tif 000004
【図３】
2019123584.tif 000005
【図４】
2019123584.tif 000006
【図５】
2019123584.tif 000007
【図６】
2019123584.tif 000008
【図７】
2019123584.tif 000009
【図８】
2019123584.tif 000010
【図９】
2019123584.tif 000011